(57)【要約】高品質な画像をプリントでき、かつ、電力負荷を低減できるプリンタ付きデジタルカメラ及びその表示制御方法を提供する。プリンタ付きデジタルカメラ１は、インスタントフィルムパック１００が装填されるフィルム装填室５０と、露光用ディスプレイ５６と、露光用ディスプレイ５６の表示面に備えられるルーバープレート６２と、撮影レンズ１２と、イメージセンサ４２と、画像表示用ディスプレイ１６と、を備え、露光用ディスプレイ５６に画像を表示させて、インスタントフィルム１１０に画像を記録する。画像表示用ディスプレイ１６は、露光用ディスプレイ５６に画像を表示している間、表示がオフされる。
2020054749.tif 000002
【特許請求の範囲】
【請求項１】
露光用開口を備えたインスタントフィルムパックが装填されるインスタントフィルムパック装填部と、
前記インスタントフィルムパック装填部に装填された前記インスタントフィルムパックに対して、前記露光用開口を介して、表示面が前記インスタントフィルムパック内のインスタントフィルムの露光面と対向して配置され、画像の表示により前記インスタントフィルムを露光させる第１表示部と、
前記第１表示部の表示面に備えられ、前記第１表示部の各画素からの光の出光方向を一定範囲に制限する出光方向制限部材と、
被写体像を電子的に撮像する撮像部と、
画像を外部に表示する第２表示部と、
前記第１表示部及び前記第２表示部の表示を制御する表示制御部と、
を備え、前記表示制御部は、前記第１表示部に画像を表示させて前記インスタントフィルムを露光させている間、前記第２表示部の表示をオフする、
プリンタ付きデジタルカメラ。
【請求項２】
前記第１表示部及び前記第２表示部は、それぞれバックライトを備えた液晶ディスプレイで構成され、
前記表示制御部は、前記第１表示部及び前記第２表示部を構成する前記液晶ディスプレイの前記バックライトのオン及びオフを制御して、前記第１表示部及び前記第２表示部の表示のオン及びオフを制御する、
請求項１に記載のプリンタ付きデジタルカメラ。
【請求項３】
前記表示制御部は、前記第１表示部及び前記第２表示部に同じ画像を表示させる、
請求項２に記載のプリンタ付きデジタルカメラ。
【請求項４】
前記第１表示部及び前記第２表示部が、同じ画像出力インターフェイスに接続される、
請求項２又は３に記載のプリンタ付きデジタルカメラ。
【請求項５】
前記表示制御部は、前記インスタントフィルムを露光させる場合に、前記第１表示部を構成する前記液晶ディスプレイの前記バックライトをオンし、前記第２表示部に画像を表示する場合に、前記第２表示部を構成する前記液晶ディスプレイの前記バックライトをオンする、
請求項２から４のいずれか１項に記載のプリンタ付きデジタルカメラ。
【請求項６】
前記第１表示部及び前記第２表示部を構成する前記液晶ディスプレイの前記バックライトは、白色の光源と、導光板と、を備える、
請求項２から５のいずれか１項に記載のプリンタ付きデジタルカメラ。
【請求項７】
遮光部材を挟んで前記第１表示部及び第２表示部が重ねて配置される、
請求項１から６のいずれか１項に記載のプリンタ付きデジタルカメラ。
【請求項８】
前記インスタントフィルムパックを挟んで前記第１表示部及び第２表示部が配置される、
請求項１から６のいずれか１項に記載のプリンタ付きデジタルカメラ。
【請求項９】
前記第１表示部に表示させる画像を処理する画像処理部を更に備えた、
請求項１から８のいずれか１項に記載のプリンタ付きデジタルカメラ。
【請求項１０】
前記画像処理部は、反転処理する、
請求項９に記載のプリンタ付きデジタルカメラ。
【請求項１１】
前記画像処理部は、エッジ強調処理する、
請求項９又は１０に記載のプリンタ付きデジタルカメラ。
【請求項１２】
前記出光方向制限部材が、前記第１表示部の表示面に備えられたルーバープレートで構成される、
請求項１から１１のいずれか１項に記載のプリンタ付きデジタルカメラ。
【請求項１３】
前記第２表示部の輝度を調節する輝度調節部を更に備え、
前記第２表示部は、前記輝度調節部で設定された輝度で画像を表示し、
前記第１表示部は、一定の輝度で画像を表示する、
請求項１から１２のいずれか１項に記載のプリンタ付きデジタルカメラ。
【請求項１４】
前記撮像部のオン及びオフを制御する撮像制御部を更に備え、
前記撮像制御部は、前記第１表示部への画像の表示中、前記撮像部をオフする、
請求項１から１３のいずれか１項に記載のプリンタ付きデジタルカメラ。
【請求項１５】
前記第２表示部の表示面へのタッチ操作を検出するタッチ操作検出部を更に備えた、
請求項１から１４のいずれか１項に記載のプリンタ付きデジタルカメラ。
【請求項１６】
前記第１表示部及び前記第２表示部は、それぞれ有機ＥＬディスプレイで構成され、
前記表示制御部は、前記第１表示部及び前記第２表示部を構成する前記有機ＥＬディスプレイのオン及びオフを制御して、前記第１表示部及び前記第２表示部の表示のオン及びオフを制御する、
請求項１に記載のプリンタ付きデジタルカメラ。
【請求項１７】
各画素からの光の出光方向を一定範囲に制限する出光方向制限部材を表示面に備え、画像の表示によりインスタントフィルムを面で露光させる第１表示部と、画像を外部に表示する第２表示部と、を備えたプリンタ付きデジタルカメラの表示制御方法であって、
前記第１表示部に画像を表示させて前記インスタントフィルムを露光させている間、前記第２表示部の表示をオフする、
プリンタ付きデジタルカメラの表示制御方法。
【発明の詳細な説明】
【技術分野】
【０００１】
本発明は、プリンタ付きデジタルカメラ及びその表示制御方法に係り、特に、インスタントフィルムを使用して画像をプリントするプリンタ付きデジタルカメラ及びその表示制御方法に関する。
【背景技術】
【０００２】
カメラボディにプリンタを内蔵し、撮像した画像をその場でメディアにプリントできるプリンタ付きデジタルカメラが知られている。
【０００３】
特許文献１には、インスタントフィルムを使用して画像をプリントするプリンタ付きデジタルカメラにおいて、カメラボディに露光用のディスプレイを内蔵し、その露光用のディスプレイを用いて、インスタントフィルムを面で露光することが記載されている。
【先行技術文献】
【特許文献】
【０００４】
【特許文献１】特開２００１−４５３４２号公報
【発明の概要】
【発明が解決しようとする課題】
【０００５】
しかしながら、特許文献１に記載のプリンタ付きデジタルカメラのように、露光用のディスプレイを用いてインスタントフィルムを面で露光すると、ディスプレイの各画素からの光が拡散して、プリントされる画像がぼけるという欠点がある。
【０００６】
また、通常、デジタルカメラのカメラボディには、画像確認用のディスプレイが備えられるが、画像確認用のディスプレイの他に露光用のディスプレイを備えると、電力負荷が大きくなるという欠点もある。
【０００７】
本発明は、このような事情に鑑みてなされたもので、高品質な画像をプリントでき、かつ、電力負荷を低減できるプリンタ付きデジタルカメラ及びその表示制御方法を提供することを目的とする。
【課題を解決するための手段】
【０００８】
（１）露光用開口を備えたインスタントフィルムパックが装填されるインスタントフィルムパック装填部と、インスタントフィルムパック装填部に装填されたインスタントフィルムパックに対して、露光用開口を介して、表示面がインスタントフィルムパック内のインスタントフィルムの露光面と対向して配置され、画像の表示によりインスタントフィルムを露光させる第１表示部と、第１表示部の表示面に備えられ、第１表示部の各画素からの光の出光方向を一定範囲に制限する出光方向制限部材と、被写体像を電子的に撮像する撮像部と、画像を外部に表示する第２表示部と、第１表示部及び第２表示部の表示を制御する表示制御部と、を備え、表示制御部は、第１表示部に画像を表示させてインスタントフィルムを露光させている間、第２表示部の表示をオフする、プリンタ付きデジタルカメラ。
【０００９】
本態様によれば、出光方向制限部材を介してインスタントフィルムが露光される。これにより、記録される画像のぼけを防止でき、高品質な画像をプリントできる。また、露光中、第２表示部の表示がオフされる。これにより、電力のピーク値を低減でき、電力負荷を低減できる。
【００１０】
（２）第１表示部及び第２表示部は、それぞれバックライトを備えた液晶ディスプレイで構成され、表示制御部は、第１表示部及び第２表示部を構成する液晶ディスプレイのバックライトのオン及びオフを制御して、第１表示部及び第２表示部の表示のオン及びオフを制御する、上記（１）のプリンタ付きデジタルカメラ。
【００１１】
本態様によれば、第１表示部及び第２表示部が、それぞれバックライトを備えた液晶ディスプレイで構成され、バックライトのオン及びオフによって、表示のオン及びオフが制御される。これにより、制御を簡素化できる。
【００１２】
（３）表示制御部は、第１表示部及び第２表示部に同じ画像を表示させる、上記（２）のプリンタ付きデジタルカメラ。
【００１３】
本態様によれば、第１表示部及び第２表示部に同じ画像が表示される。これにより、表示の制御を簡素化できる。
【００１４】
（４）第１表示部及び第２表示部が、同じ画像出力インターフェイスに接続される、上記（２）又は（３）のプリンタ付きデジタルカメラ。
【００１５】
本態様によれば、第１表示部及び第２表示部が同じ画像出力インターフェイスに接続される。これにより、構成及び制御を簡素化できる。
【００１６】
（５）表示制御部は、インスタントフィルムを露光させる場合に、第１表示部を構成する液晶ディスプレイのバックライトをオンし、第２表示部に画像を表示する場合に、第２表示部を構成する液晶ディスプレイのバックライトをオンする、上記（２）から（４）のいずれか一のプリンタ付きデジタルカメラ。
【００１７】
本態様によれば、インスタントフィルムを露光させる場合に第１表示部を構成する液晶ディスプレイのバックライトがオンされる。また、第２表示部に画像を表示する場合に、第２表示部を構成する液晶ディスプレイのバックライトがオンされる。
【００１８】
（６）第１表示部及び第２表示部を構成する液晶ディスプレイのバックライトは、白色の光源と、導光板と、を備える、上記（２）から（５）のいずれか一のプリンタ付きデジタルカメラ。
【００１９】
本態様によれば、第１表示部及び第２表示部を構成する液晶ディスプレイのバックライトが、白色の光源と、導光板と、を備えて構成される。
【００２０】
（７）遮光部材を挟んで第１表示部及び第２表示部が重ねて配置される、上記（１）から（６）のいずれか一のプリンタ付きデジタルカメラ。
【００２１】
本態様によれば、遮光部材を挟んで第１表示部及び第２表示部が重ねて配置される。これにより、装置の小型化を図れる。
【００２２】
（８）インスタントフィルムパックを挟んで第１表示部及び第２表示部が配置される、上記（１）から（６）のいずれか一のプリンタ付きデジタルカメラ。
【００２３】
本態様によれば、インスタントフィルムパックを挟んで第１表示部及び第２表示部が配置される。これにより、相互の遮光構造を不要にできる。
【００２４】
（９）第１表示部に表示させる画像を処理する画像処理部を更に備えた、上記（１）から（８）のいずれか一のプリンタ付きデジタルカメラ。
【００２５】
本態様によれば、第１表示部に表示させる画像、すなわち、インスタントフィルムにプリントする画像に対して、画像処理が施される。
【００２６】
（１０）画像処理部は、反転処理する、上記（９）のプリンタ付きデジタルカメラ。
【００２７】
本態様によれば、画像処理として、反転処理が行われる。
【００２８】
（１１）画像処理部は、エッジ強調処理する、上記（９）又は（１０）のプリンタ付きデジタルカメラ。
【００２９】
本態様によれば、画像処理として、エッジ強調処理が行われる。
【００３０】
（１２）出光方向制限部材が、第１表示部の表示面に備えられたルーバープレートで構成される、上記（１）から（１１）のいずれか一のプリンタ付きデジタルカメラ。
【００３１】
本態様によれば、出光方向制限部材が、ルーバープレートで構成される。
【００３２】
（１３）第２表示部の輝度を調節する輝度調節部を更に備え、第２表示部は、輝度調節部で設定された輝度で画像を表示し、第１表示部は、一定の輝度で画像を表示する、上記（１）から（１２）のいずれか一のプリンタ付きデジタルカメラ。
【００３３】
本態様によれば、第２表示部の輝度を調整できる。
【００３４】
（１４）撮像部のオン及びオフを制御する撮像制御部を更に備え、撮像制御部は、第１表示部への画像の表示中、撮像部をオフする、上記（１）から（１３）のいずれか一のプリンタ付きデジタルカメラ。
【００３５】
本態様によれば、露光中、撮像部がオフされる。これにより、更に効果的に電力のピーク値を低減でき、電力負荷を低減できる。
【００３６】
（１５）第２表示部の表示面へのタッチ操作を検出するタッチ操作検出部を更に備えた、上記（１）から（１４）のいずれか一のプリンタ付きデジタルカメラ。
【００３７】
本態様によれば、第２表示部の表示面にタッチ操作検出部が備えられる。
【００３８】
（１６）第１表示部及び第２表示部は、それぞれ有機ＥＬディスプレイで構成され、表示制御部は、第１表示部及び第２表示部を構成する有機ＥＬディスプレイのオン及びオフを制御して、第１表示部及び第２表示部の表示のオン及びオフを制御する、上記（１）のプリンタ付きデジタルカメラ。
【００３９】
本態様によれば、第１表示部及び第２表示部は、それぞれ有機ＥＬディスプレイ（有機エレクトロルミネッセンスディスプレイ（Organic Electro-Luminescence Display；ＯＥＬＤ））で構成される。
【００４０】
（１７）各画素からの光の出光方向を一定範囲に制限する出光方向制限部材を表示面に備え、画像の表示によりインスタントフィルムを面で露光させる第１表示部と、画像を外部に表示する第２表示部と、を備えたプリンタ付きデジタルカメラの表示制御方法であって、第１表示部に画像を表示させてインスタントフィルムを露光させている間、第２表示部の表示をオフする、プリンタ付きデジタルカメラの表示制御方法。
【００４１】
本態様によれば、出光方向制限部材を介してインスタントフィルムを露光するプリンタ付きデジタルカメラにおいて、露光中、画像を外部に表示するための第２表示部の表示がオフされる。これにより、電力のピーク値を低減でき、電力負荷を低減できる。
【発明の効果】
【００４２】
本発明によれば、高品質な画像をプリントでき、かつ、電力負荷を低減できるプリンタ付きデジタルカメラを提供できる。
【図面の簡単な説明】
【００４３】
【図１】プリンタ付きデジタルカメラの一実施形態の外観構成を示す正面斜視図
【図２】図１に示すプリンタ付きデジタルカメラの背面斜視図
【図３】プリンタ付きデジタルカメラの内部の概略構成を示す断面図
【図４】インスタントフィルムパックの斜視図
【図５】インスタントフィルムの正面図
【図６】インスタントフィルムの背面図
【図７】露光用ディスプレイ及びディスプレイの概略構成を示す図
【図８】ルーバープレートの一部を拡大した断面図
【図９】ルーバープレートの一部を拡大した正面図
【図１０】プリンタ付きデジタルカメラの電気的構成を示すブロック図
【図１１】プリント用画像の生成の概念図
【図１２】表示コントローラが有する機能のブロック図
【図１３】撮像モードでの画像表示用ディスプレイの表示の一例を示す図
【図１４】再生モードでの画像表示用ディスプレイの表示の一例を示す図
【図１５】再生モードでプリントする場合の画像表示用ディスプレイの画面表示の遷移状態を示す図
【図１６】画像表示用ディスプレイ及び露光用ディスプレイの表示制御のタイミングチャート
【図１７】画像表示用ディスプレイ及び露光用ディスプレイを同じ画像出力インターフェイスに接続する場合の概念図
【図１８】スイッチにより点灯させるバックライトを切り替えて、画像表示用ディスプレイ及び露光用ディスプレイの表示のオン及びオフを制御する場合の概念図
【図１９】インスタントフィルムパックを挟んで画像表示用ディスプレイ及び露光用ディスプレイを配置する場合のプリンタ付きデジタルカメラの概略構成を示す図
【図２０】出光方向制限層を２層で構成したルーバープレートの一例を示す図
【発明を実施するための形態】
【００４４】
以下、添付図面に従って本発明の好ましい実施の形態について詳説する。
【００４５】
［外観構成］
図１は、プリンタ付きデジタルカメラの一実施形態の外観構成を示す正面斜視図である。図２は、図１に示すプリンタ付きデジタルカメラの背面斜視図である。なお、図１及び図２において、矢印ｘで示す方向は、プリンタ付きデジタルカメラ１の左右方向である。矢印ｙで示す方向は、プリンタ付きデジタルカメラ１の上下方向である。矢印ｚで示す方向は、プリンタ付きデジタルカメラ１の前後方向である。左右方向は、横方向又は幅方向と同義である。上下方向は高さ方向又は縦方向と同義である。前後方向は奥行き方向と同義である。
【００４６】
本実施の形態のプリンタ付きデジタルカメラ１は、インスタントフィルムを使用して画像をプリントするプリンタ付きデジタルカメラである。インスタントフィルムは、インスタントフィルムパックの形態でプリンタ付きデジタルカメラ１に装填される。
【００４７】
図１及び図２に示すように、プリンタ付きデジタルカメラ１は、携帯可能なカメラボディ１０を有する。カメラボディ１０は、前後方向の厚みが薄く、横方向の寸法に比して縦方向の寸法が長い、縦長の直方体形状を有する。
【００４８】
カメラボディ１０の正面側には、撮像レンズ１２、フィルム蓋カバー１４等が備えられる。フィルム蓋カバー１４は、フィルム装填室を開閉するカバーである。フィルム蓋カバー１４は、カメラボディ１０の底面に備えられたヒンジ１４ａ（図３参照）を介して開閉可能に設けられる。
【００４９】
カメラボディ１０の背面側には、画像表示用ディスプレイ１６が備えられる。画像表示用ディスプレイ１６は、画像を外部に表示するディスプレイであり、第２表示部の一例である。画像表示用ディスプレイ１６は、撮像の際にライブビュー用モニタとして使用される他、撮像済み画像を観賞する際に再生用モニタ等として使用される。ライブビューとは、イメージセンサがとらえた画像をリアルタイムに表示する機能のことである。画像表示用ディスプレイ１６は、タッチパネルディスプレイで構成される。したがって、画像表示用ディスプレイ１６は、操作部としても機能する。
【００５０】
カメラボディ１０の片側の側面には、電源ボタン１８が備えられる。プリンタ付きデジタルカメラ１は、この電源ボタン１８を長押しすることにより、電源がオン及びオフされる。
【００５１】
カメラボディ１０の上面には、フィルム排出口２０が備えられる。フィルム排出口２０は、インスタントフィルム１１０が通過可能なスリットで構成される。プリントされたインスタントフィルム１１０は、このフィルム排出口２０から排出される。
【００５２】
［内部構造］
図３は、プリンタ付きデジタルカメラの内部の概略構成を示す断面図である。
【００５３】
プリンタ付きデジタルカメラ１は、デジタルカメラに係わる構成要素として、撮像レンズ１２、イメージセンサ４２等を備える。また、プリンタに係わる構成要素として、フィルム装填室５０、フィルム送出機構５２、フィルム搬送機構５４、露光用ディスプレイ５６等を備える。また、両者に共通する構成要素として、画像表示用ディスプレイ１６を備える。
【００５４】
〈撮像レンズ〉
撮像レンズ１２は、被写体の光学像をイメージセンサ４２の受光面上に結像させる。撮像レンズ１２は、焦点調節機能を有し、図示しない絞り及びシャッタを含んで構成される。
【００５５】
〈イメージセンサ〉
イメージセンサ４２は、たとえば、ＣＣＤイメージセンサ（CCD：Charge Coupled Device）、ＣＭＯＳイメージセンサ（CMOS：Complementary Metal Oxide Semiconductor）等の二次元の固体撮像素子で構成される。イメージセンサ４２は、使用するインスタントフィルムのプリント可能領域に対応したアスペクト比の撮像領域を有する。
【００５６】
本実施の形態のプリンタ付きデジタルカメラ１では、撮像レンズ１２及びイメージセンサ４２が、被写体像を電子的に撮像する撮像部を構成する。
【００５７】
〈フィルム装填室〉
フィルム装填室５０は、インスタントフィルムパック１００の装填部（インスタントフィルムパック装填部）である。フィルム装填室５０は、凹部で構成され、フィルム蓋カバー１４によって開閉される。凹部は、インスタントフィルムパック１００が嵌まる形状を有し、フィルム蓋カバー１４を閉じることにより、暗室状態で密閉される。
【００５８】
〈インスタントフィルムパック〉
インスタントフィルムパック１００は、複数枚のインスタントフィルム１１０がケース１２０に収容された構造を有する。
【００５９】
図４は、インスタントフィルムパックの斜視図である。図５は、インスタントフィルムの正面図である。図６は、インスタントフィルムの背面図である。なお、図４から図６において、矢印Ｆで示す方向は、インスタントフィルム１１０の送り方向である。インスタントフィルム１１０は、矢印Ｆで示す方向に送られてケース１２０から排出される。
【００６０】
インスタントフィルム１１０は、いわゆる「モノシートタイプ」（シートフィルム方式、integral filmなどとも称される）のインスタントフィルムであり、露光面の裏に像が現れる方式のインスタントフィルムである。インスタントフィルム１１０は、矩形のカード形状を有する。インスタントフィルム１１０は、一方側の面が露光面１１０ａ、他方側の面が観察面１１０ｂとして構成される。露光面１１０ａが、露光により像を記録する面であり、観察面１１０ｂが、記録された像を観察する面である。
【００６１】
図６に示すように、インスタントフィルム１１０の露光面１１０ａには、露光領域１１２、ポッド部１１４、及び、トラップ部１１６が備えられる。
【００６２】
露光領域１１２は、露光により画像を記録する領域である。露光領域１１２が、インスタントフィルム１１０のプリント可能領域となる。露光領域１１２を挟んで、ポッド部１１４とトラップ部１１６とが送り方向Ｆの前後に配置される。
【００６３】
ポッド部１１４は、露光領域１１２に対して送り方向Ｆの前側に配置される。ポッド部１１４には、現像処理液を内包した現像処理液ポッド１１４ａが内蔵される。
【００６４】
トラップ部１１６は、露光領域１１２に対して送り方向Ｆの後側に配置される。トラップ部１１６には、吸収材１１６ａが内蔵される。
【００６５】
図５に示すように、インスタントフィルム１１０の観察面１１０ｂには、観察領域１１８が備えられる。観察領域１１８は、画像が表示される領域である。露光領域１１２を現像処理することにより、観察領域１１８に画像が表示される。観察領域１１８は、露光領域１１２に対応して配置される。観察領域１１８の周囲には、枠１１８ａが備えられる。
したがって、画像は枠内に表示される。
【００６６】
なお、インスタントフィルム１１０は、トラップ部１１６が上、ポッド部１１４が下となる向きで観賞する。したがって、画像は、トラップ部１１６が上、ポッド部１１４が下となる向きでプリントされる。
【００６７】
インスタントフィルム１１０は、露光後、ポッド部１１４の現像処理液を露光領域１１２に展開させることにより現像処理される。ポッド部１１４の現像処理液は、インスタントフィルム１１０を展開ローラ対５４Ａの間に通すことで、ポッド部１１４から絞り出され、露光領域１１２に展開される。展開処理時に余った現像処理液が、トラップ部１１６で捕捉される。
【００６８】
ケース１２０は、矩形の箱形状を有する。ケース１２０は、正面部分に矩形状の露光用開口１２０ａを有する。また、ケース１２０は、天面部分にスリット状の排出口１２０ｂを有する。インスタントフィルム１１０は、露光面１１０ａをケース１２０の正面側（露光用開口１２０ａ側）に向け、かつ、ポッド部１１４をケース１２０の天面側（排出口１２０ｂ側）に向けて、ケース内に重ねて収容される。また、ケース１２０は、底面部分にスリット状のクロー開口部１２０ｃを有する。ケース１２０に収容されたインスタントフィルム１１０は、このクロー開口部１２０ｃからクロー５２ａを進入させることにより、１枚ずつ排出口１２０ｂに向けて送られ、排出口１２０ｂから排出される。
【００６９】
１つのインスタントフィルムパック１００には、複数枚（たとえば１０枚）のインスタントフィルム１１０が収容される。
【００７０】
〈フィルム送出機構〉
フィルム送出機構５２は、フィルム装填室５０に装填されたインスタントフィルムパック１００からインスタントフィルム１１０を積層方向の上から順に１枚ずつ送り出す。フィルム送出機構５２は、インスタントフィルム１１０の送り方向Ｆに沿って前後移動するクロー５２ａを備え、そのクロー５２ａでケース内のインスタントフィルム１１０を積層方向の上から１枚ずつ掻き出して、インスタントフィルム１１０をインスタントフィルムパック１００から送り出す。
【００７１】
〈フィルム搬送機構〉
フィルム搬送機構５４は、フィルム送出機構５２によってインスタントフィルムパック１００から送り出されたインスタントフィルム１１０を搬送する。フィルム搬送機構５４は、展開ローラ対５４Ａを備える。展開ローラ対５４Ａは、図示しないモーターに駆動されて回転し、インスタントフィルム１１０を挟持して搬送する。インスタントフィルム１１０は、展開ローラ対５４Ａに搬送される過程で現像処理される。すなわち、ポッド部１１４が展開ローラ対５４Ａに押し潰されて、ポッド部内の現像処理液が展開処理される。
【００７２】
〈露光用ディスプレイ〉
露光用ディスプレイ５６は、インスタントフィルム１１０に画像を記録するためのディスプレイである。露光用ディスプレイ５６は、画像の表示によりインスタントフィルム１１０を露光させて、インスタントフィルム１１０に画像を記録する。露光用ディスプレイ５６は、第１表示部の一例である。露光用ディスプレイ５６は、フィルム装填室５０の底面部に備えられる。インスタントフィルムパック１００がフィルム装填室５０に装填されると、そのケース１２０の内部に収容されたインスタントフィルム１１０の露光面１１０ａが、露光用開口１２０ａを介して、露光用ディスプレイ５６の表示面５６ａと対向して配置される。露光用ディスプレイ５６は、インスタントフィルム１１０を１回で露光可能なサイズを有する。したがって、少なくともインスタントフィルム１１０の観察領域１１８よりも大きなサイズの表示面５６ａを有する。
【００７３】
露光用ディスプレイ５６は、バックライトを備えた透過型のカラー液晶ディスプレイ（ＬＣＤ：Liquid Crystal Display）で構成される。
【００７４】
図７は、露光用ディスプレイ及びディスプレイの概略構成を示す図である。
【００７５】
同図に示すように、露光用ディスプレイ５６は、露光用液晶ディスプレイ５８及び露光用バックライト６０を備える。露光用液晶ディスプレイ５８は、透過型のカラー液晶ディスプレイで構成される。露光用バックライト６０は、露光用液晶ディスプレイ５８の背後から露光用液晶ディスプレイ５８の表示領域の全面に均一に光を照射する。露光用バックライト６０は、光源である棒状ランプ６０ａと、棒状ランプ６０ａから出射された光を露光用液晶ディスプレイ５８の表示領域の全面に均一に導く導光板６０ｂと、を備える。
【００７６】
露光用ディスプレイ５６の表示面５６ａには、ルーバープレート６２が備えられる。ルーバープレート６２は、露光用ディスプレイ５６の各画素からの光の出光方向を一定範囲に制限する。ルーバープレート６２は、出光方向制限部材の一例である。ルーバープレート６２は、インスタントフィルムパック１００の露光用開口１２０ａに対応した外形の薄板形状を有する。ルーバープレート６２は、インスタントフィルムパック１００がフィルム装填室５０に装填されると、露光用開口１２０ａに嵌合して、ケース１２０内に収容されたインスタントフィルム１１０の露光面１１０ａに当接する。
【００７７】
図８は、ルーバープレートの一部を拡大した断面図である。図９は、ルーバープレートの一部を拡大した正面図である。
【００７８】
図８に示すように、ルーバープレート６２は、二層構造を有し、入射面６２ａの側に出光方向制限層６４、出射面６２ｂの側に保護層６６を有する。なお、入射面６２ａは、露光用ディスプレイ５６の表示面５６ａと対向して配置される面であり、出射面６２ｂは、インスタントフィルム１１０の露光面１１０ａと対向して配置される面である。
【００７９】
出光方向制限層６４は、露光用ディスプレイ５６の各画素からの光の出光方向を一定範囲に制限する層である。出光方向制限層６４は、格子状の遮光部６４ａと、その遮光部６４ａによって区切られた透光部６４ｂと、で構成される。遮光部６４ａは、遮光性を有する素材（たとえば、着色された樹脂材料（たとえば、黒色シリコーンゴム等）等）で構成され、入射面６２ａ及び出射面６２ｂに対して垂直な壁面を有する。透光部６４ｂは、透光性を有する素材（たとえば、ガラス、透明なシリコーンゴム等）で構成され、ルーバープレート６２の入射面６２ａ及び出射面６２ｂに対して垂直な光路を構成する。
【００８０】
保護層６６は、出光方向制限層６４を保護する層である。保護層６６は、透光性を有する素材（たとえば、アクリル樹脂、ポリカーボネート、塩化ビニル樹脂等）で構成される。
【００８１】
以上の構成のルーバープレート６２は、入射面６２ａに対して略垂直に入射する光のみを選択的に透過させる。露光用ディスプレイ５６は、表示面１６ａにルーバープレート６２が備えられることにより、各画素Ｐからの光の出光方向が表示面１６ａに対して略垂直な方向に制限される。これにより、インスタントフィルム１１０の露光面１１０ａに対して、各画素Ｐからの光を略垂直に照射でき、記録される画像のぼけを防止できる。
【００８２】
〈画像表示用ディスプレイ〉
画像表示用ディスプレイ１６は、タッチパネルディスプレイで構成される。図７に示すように、画像表示用ディスプレイ１６は、画像表示用液晶ディスプレイ６８、画像表示用バックライト７０及びタッチセンサ７２を備える。画像表示用液晶ディスプレイ６８は、透過型のカラー液晶ディスプレイで構成される。画像表示用バックライト７０は、画像表示用液晶ディスプレイ６８の背後から画像表示用液晶ディスプレイ６８の表示領域の全面に均一に光を照射する。画像表示用バックライト７０は、白色の光源である棒状ランプ７０ａと、棒状ランプ７０ａから出射された光を画像表示用液晶ディスプレイ６８の表示領域の全面に均一に導く導光板７０ｂと、を備える。タッチセンサ７２は、画像表示用ディスプレイ１６の表示面１６ａに備えられる。タッチセンサ７２は、タッチ操作検出部の一例である。タッチセンサ７２は、画像表示用ディスプレイ１６の表示面１６ａへのタッチ操作を検出する。
【００８３】
図３及び図７に示すように、画像表示用ディスプレイ１６は、露光用ディスプレイ５６に重ねて配置される。画像表示用ディスプレイ１６と露光用ディスプレイ５６との間には、遮光壁７４が備えられる。遮光壁７４は、遮光部材の一例であり、互いのバックライトの光が他方の表示領域に漏洩するのを防止する。これにより、画像表示用バックライト７０の光が露光用ディスプレイ５６側に漏洩して、インスタントフィルム１１０が感光するのを防止できる。
【００８４】
［電気的構成］
図１０は、プリンタ付きデジタルカメラの電気的構成を示すブロック図である。
【００８５】
同図に示すように、プリンタ付きデジタルカメラ１は、ＣＰＵ（CPU：Central Processing Unit）、ＲＯＭ（ROM：Read Only Memory）、ＲＡＭ（RAM：Random Access Memory）を備えたマイコン（マイクロコンピュータ）８０を備え、マイコン８０によって、各部の駆動が制御される。すなわち、マイコン８０が、撮像レンズ１２、イメージセンサ４２、フィルム送出機構５２、フィルム搬送機構５４等の駆動を制御する。マイコン８０は、操作部９２からの操作入力に基づいて、各部を制御する。操作部９２は、電源ボタン１８及びタッチセンサ７２で構成される。マイコン８０は、所定の制御プログラムを実行することにより、各種の制御機能を実現する。
【００８６】
プリンタ付きデジタルカメラ１は、アナログ信号処理部８２、デジタル信号処理部８４、プリント用画像処理部８６、メモリ８８、メモリコントローラ８８ａ及び表示コントローラ９０を備える。
【００８７】
アナログ信号処理部８２は、イメージセンサ４２から出力される画素ごとのアナログの画像信号を取り込み、所定の信号処理（たとえば、相関二重サンプリング処理、増幅処理等）を施す。アナログ信号処理部８２は、ＡＤＣ（Analog to Digital Converter／ＡＤコンバータ）を含み、所定の信号処理後のアナログの画像信号をデジタルの画像信号に変換して出力する。
【００８８】
デジタル信号処理部８４は、アナログ信号処理部８２から出力されるデジタルの画像信号を取り込み、所定の信号処理（たとえば、階調変換処理、ホワイトバランス補正処理、ガンマ補正処理、同時化処理、ＹＣ変換処理等）を施して、画像データを生成する。生成された画像データは、マイコン８０に出力される。
【００８９】
プリント用画像処理部８６は、マイコン８０による制御の下、プリントする画像データに所定の画像処理を施して、プリント用の画像データを生成する。すなわち、露光用ディスプレイ５６に表示させる画像データを生成する。この画像データは、インスタントフィルム１１０への露光に最適化した画像データである。
【００９０】
なお、本実施の形態のプリンタ付きデジタルカメラ１では、モノシートタイプのインスタントフィルム１１０を使用することから、画像処理の一環として、画像の左右反転処理が行われる。また、インスタントフィルム１１０は、上下（天地）を逆にして、プリンタ付きデジタルカメラ１に装填されることから、上下の反転処理が行われる。
【００９１】
図１１は、プリント用画像の生成の概念図である。
【００９２】
同図において、（Ａ）は、プリント対象の画像データが表わす画像であり、（Ｂ）は、プリント用の画像データが表わす画像である。同図に示すように、プリント用の画像は、元の画像に対して、上下及び左右が反転した画像となる。
【００９３】
メモリ８８は、画像データを含む各種データを記憶する。メモリ８８は、たとえば、ＥＥＰＲＯＭ（Electrically Erasable Programmable Read Only Memory）等の不揮発性メモリで構成される。メモリコントローラ８８ａは、マイコン８０による制御の下、メモリ８８にデータを読み書きする。
【００９４】
表示コントローラ９０は、マイコン８０による制御の下、画像表示用ディスプレイ１６及び露光用ディスプレイ５６に画像を表示させる。表示コントローラ９０は、たとえば、ＬＳＩ（Large Scale Integration；大規模集積回路）で構成される。
【００９５】
図１２は、表示コントローラが有する機能のブロック図である。
【００９６】
表示コントローラ９０は、画像表示用ディスプレイ１６に画像を表示させる場合、画像表示用液晶ディスプレイ６８に表示データを出力し、かつ、画像表示用バックライト７０を点灯（ＯＮ）する。また、表示コントローラ９０は、露光用ディスプレイ５６に画像を表示させる場合、露光用液晶ディスプレイ５８に表示データを出力し、かつ、露光用バックライト６０を点灯（ＯＮ）する。
【００９７】
マイコン８０は、所定の表示制御プログラムを実行することにより、表示制御部８０ａとしての機能し、表示コントローラ９０を介して、画像表示用ディスプレイ１６及び露光用ディスプレイ５６の表示を制御する。
【００９８】
プリンタ付きデジタルカメラ１のモードが撮像モードに設定されると、表示制御部８０ａは、イメージセンサ４２が捉えた画像をリアルタイムに画像表示用ディスプレイ１６に表示させる。すなわち、ライブビュー画像を画像表示用ディスプレイ１６に表示させる。また、撮像に必要な操作ボタン（シャッタボタン等）を画像表示用ディスプレイ１６に表示する。更に、必要に応じて、撮像に必要な情報（絞り値、シャッタ速度、撮像可能枚数等）を画像表示用ディスプレイ１６に表示する。
【００９９】
また、プリンタ付きデジタルカメラ１のモードが再生モードに設定されると、表示制御部８０ａは、メモリ８８に記録された画像データを画像表示用ディスプレイ１６に表示させる。
【０１００】
更に、表示制御部８０ａは、設定画面の呼び出しに応じて、各種設定を行うための設定画面を画像表示用ディスプレイ１６に表示させる。
【０１０１】
一方、画像をプリントする場合には、プリント用の画像を露光用ディスプレイ５６に表示させる。この際、表示制御部８０ａは、画像表示用ディスプレイ１６の表示をオフする。
【０１０２】
［プリンタ付きデジタルカメラの作用］
〈撮像〉
プリンタ付きデジタルカメラ１は、電源をオンすると、撮像モードで起動する。撮像モードでは、イメージセンサ４２で捉えた画像が、画像表示用ディスプレイ１６にリアルタイムに表示される。すなわち、ライブビュー画像が画像表示用ディスプレイ１６に表示される。ユーザは、画像表示用ディスプレイ１６をファインダとして使用し、構図の調整、主要被写体への合焦状態等を確認する。
【０１０３】
図１３は、撮像モードでの画像表示用ディスプレイの表示の一例を示す図である。
【０１０４】
同図に示すように、画像表示用ディスプレイ１６には、ライブビュー画像ＬＩ及び各種操作ボタンが表示される。図１３に示す例では、操作ボタンとして、シャッターボタンＳＢ、再生ボタンＰＢ及びメニューボタンＭＢを表示した場合を示している。シャッターボタンＳＢは、画像の記録（撮像）を指示するボタンである。再生ボタンＰＢは、再生モードへの切り替えを指示するボタンである。メニューボタンＭＢは、メニュー画面の表示を指示するボタンである。
【０１０５】
ユーザは、シャッターボタンＳＢにタッチして、画像の記録を指示する。画像の記録が指示されると、イメージセンサ４２から記録用の画像データが取り込まれ、所要の信号処理を施されて、メモリ８８に記録される。
【０１０６】
〈再生〉
撮像モードの状態で画像表示用ディスプレイ１６に表示された再生ボタンＰＢをタッチすると、プリンタ付きデジタルカメラ１のモードが再生モードに切り替わる。
【０１０７】
再生モードに切り替わると、最後に撮像された画像（最後にメモリ８８に記録された画像）の画像データが、メモリ８８から読み出され、画像表示用ディスプレイ１６に表示される。
【０１０８】
図１４は、再生モードでの画像表示用ディスプレイの表示の一例を示す図である。
【０１０９】
同図に示すように、画像表示用ディスプレイ１６には、再生画像ＰＩ及び各種操作ボタンが表示される。図１４に示す例では、操作ボタンとして、プリントボタンＰｒＢ、カメラボタンＣＢ及びメニューボタンＭＢを表示した場合を示している。プリントボタンＰｒＢは、表示中の画像のプリントを指示するボタンである。カメラボタンＣＢは、撮像モードへの切り替えを指示するボタンである。メニューボタンＭＢは、メニュー画面の表示を指示するボタンである。
【０１１０】
表示中の画像をプリントする場合、ユーザは、プリントボタンＰｒＢをタッチする。また、コマ送りする場合は、画像表示用ディスプレイ１６の画面をフリック操作する。フリック操作とは、指先で画面をはらう操作である。また、表示中の画像を拡大する場合は、画像表示用ディスプレイ１６の画面をピンチアウト操作する。ピンチアウト操作とは、２本の指で画面に触れたまま、指の間隔を広げる操作である。また、表示中の画像を縮小する場合は、画像表示用ディスプレイ１６の画面をピンチイン操作する。ピンチイン操作とは、２本の指で画面に触れたまま、指の間隔を狭める操作である。
【０１１１】
〈プリント〉
上記のように、再生モードにおいて、画像再生中にプリントボタンＰｒＢがタッチされると、表示中の画像がプリントされる。また、撮像モードにおいて、オートプリントモードが選択されると、撮像された画像が、プリントの指示を待たずに、そのままプリントされる。オートプリントモードのオン、オフの設定は、たとえば、メニュー画面からモードの設定画面を呼び出して行われる。
【０１１２】
プリントが指示されると、プリント対象の画像データがプリント用画像処理部８６に加えられ、プリント用の画像データが生成される。マイコン８０は、生成されたプリント用の画像データを表示コントローラ９０に加えて、露光用ディスプレイ５６に表示させる。これにより、プリント用の画像が露光用ディスプレイ５６に表示される。
【０１１３】
露光用ディスプレイ５６に画像が表示されることにより、インスタントフィルム１１０が露光される。この際、インスタントフィルム１１０は、露光用ディスプレイ５６の各画素からの光が、ルーバープレート６２を介して照射されて露光される。ルーバープレート６２は、露光面１１０ａに対して略垂直な光のみを透過させる作用を有する。これにより、画像のぼけを防止でき、高品質な画像をプリントできる。
【０１１４】
画像は、一定時間、一定の輝度で表示される。露光時間は、露光用ディスプレイ５６の輝度に基づいて設定される。すなわち、インスタントフィルム１１０を適正に露光できる時間に設定される。
【０１１５】
表示開始から一定時間経過すると、露光用ディスプレイ５６の表示がオフされ、露光が終了する。露光が終了すると、フィルム送出機構５２及びフィルム搬送機構５４が駆動される。フィルム送出機構５２が駆動されることにより、露光済みのインスタントフィルム１１０がクロー５２ａによってケース１２０から排出される。ケース１２０から排出されたインスタントフィルム１１０は、展開ローラ対５４Ａによって、フィルム排出口２０から排出される。また、その排出過程で現像処理される。すなわち、ポッド部１１４が展開ローラ対５４Ａに押し潰されて、ポッド部内の現像処理液が展開処理され、現像処理される。
【０１１６】
図１５は、再生モードでプリントする場合の画像表示用ディスプレイの画面表示の遷移状態を示す図である。
【０１１７】
図１５（Ａ）は、画像の再生状態を示しており、この状態でプリントボタンをタッチして、再生中の画像のプリントを指示すると、図１５（Ｂ）に示すように、プリントの確認画面が表示される。プリントの確認画面では、プリントのイメージが画像表示用ディスプレイ１６に表示される。すなわち、インスタントフィルム１１０にプリントした場合のイメージの画像（インスタントフィルム１１０の観察面１１０ｂの観察領域１１８にプリント対象の画像を収めた形態の画像）が表示される。また、これと同時にプリントの実行を指示する「ＯＫ」ボタン、及び、プリントの中止を指示する「ＣＡＮＣＥＬ」ボタンが表示される。ユーザは、プリントを実行する場合は、「ＯＫ」ボタンをタッチし、プリントを中止する場合は「ＣＡＮＣＥＬ」ボタンをタッチする。「ＣＡＮＣＥＬ」ボタンがタッチされると、図１５（Ａ）に示す再生画面に復帰する。一方、「ＯＫ」ボタンがタッチされると、図１５（Ｃ）に示すように、プリントの実行を報知する画面が表示される。この画面では、「プリントします」のメッセージが表示される。この後、プリントが実行される。すなわち、露光用ディスプレイ５６に記録用の画像が表示され、インスタントフィルム１１０が露光される。露光中、図１５（Ｄ）に示すように、画像表示用ディスプレイ１６の表示がオフされる。露光が終了すると、図１５（Ａ）に示すように、プリントした画像の再生画面に復帰する。
【０１１８】
［画像表示用ディスプレイ及び露光用ディスプレイの表示制御］
上記のように、本実施の形態のプリンタ付きデジタルカメラ１では、露光中、画像表示用ディスプレイ１６の表示がオフされる。これにより、電力のピーク値を低減でき、電力負荷を低減できる。また、これにより、バッテリの小型化、延いては、カメラ全体の小型化を図れる。
【０１１９】
図１６は、画像表示用ディスプレイ及び露光用ディスプレイの表示制御のタイミングチャートである。
【０１２０】
同図は、時刻ｔ２で露光を開始し、時刻ｔ３で露光を終了する場合の表示制御の形態を示している。同図に示すように、露光用ディスプレイ５６に画像を表示させてインスタントフィルム１１０を露光させている間、画像表示用ディスプレイ１６の表示をオフする。
【０１２１】
画像表示用ディスプレイ１６は、露光を開始する一定時間前に表示がオフされる。換言すると、インスタントフィルムを露光させる場合、画像表示用ディスプレイ１６の表示をオフした後、一定時間経過後（Δｔ経過後）に露光が開始される。
【０１２２】
露光中、画像表示用ディスプレイ１６は、継続して表示がオフされ、露光が終了すると、一定時間経過後（Δｔ経過後）に表示がオンされる。すなわち、露光用ディスプレイ５６の表示がオフされ、そのオフから一定時間経過後に表示がオンされる。
【０１２３】
このように、露光用ディスプレイ５６の表示中は、必ず画像表示用ディスプレイ１６の表示がオフされる。これにより、電力のピーク値を低減でき、電力負荷を低減できる。尚、露光用ディスプレイが表示中で、かつ、画像表示用ディスプレイの表示がオフされた場合、音声や画像表示用ディスプレイとは別体の光源等をもって、使用者へ露光中であることを報知しても良い。これにより、露光中に画像表示用ディスプレイの表示がオフされた場合であっても、プリンタ付きデジカメ１の電源がオフされたのではなく露光中であることを把握できる。また、報知手段としては、フィルム搬送機構５４がフィルム搬送時に発生する音や振動等の機械的な報知手段を利用することが出来る。フィルム搬送時に発生する音や振動を報知手段として利用することで、省電力化、或いは、部品数を削減することができる。
【０１２４】
［変形例］
〈撮像モードでの処理〉
撮像モードでプリントする場合、露光中、撮像部の駆動をオフすることが好ましい。より具体的には、露光用ディスプレイ５６への画像の表示中、撮像レンズ１２及びイメージセンサ４２の駆動をオフする。これにより、より効果的に電力ピーク値を低減できる。この場合、マイコン８０が、撮像制御部として機能し、撮像レンズ１２及びイメージセンサ４２の駆動を制御する。
【０１２５】
〈画像表示用ディスプレイ及び露光用ディスプレイの表示制御の変形例１〉
画像表示用ディスプレイ１６及び露光用ディスプレイ５６は、バックライトのオン及びオフを制御して、表示のオン及びオフを制御してもよい。
【０１２６】
バックライトは、液晶ディスプレイの駆動に比して、電力消費が大きいので、バックライトのオン及びオフを制御して、表示のオン及びオフを制御することにより、十分に電力負荷を低減できる。また、制御を簡素化できる。
【０１２７】
〈画像表示用ディスプレイ及び露光用ディスプレイの表示制御の変形例２〉
バックライトのオン及びオフを制御して、画像表示用ディスプレイ１６及び露光用ディスプレイ５６の表示のオン及びオフを制御する場合、画像表示用ディスプレイ１６及び露光用ディスプレイ５６には、同じ画像を表示させてもよい。すなわち、表示コントローラ９０から同じ表示データを出力して、各液晶ディスプレイに同じ画像を表示させてもよい。これにより、表示制御を簡素化できる。
【０１２８】
本例の場合、露光中、画像表示用液晶ディスプレイ６８には、露光中の画像（インスタントフィルム１１０に記録する画像）が表示される。ただし、画像表示用バックライト７０がオフされているため、視認できない。同様に、撮像中、露光用液晶ディスプレイ５８にはライブビュー画像が表示されるが、露光用バックライト６０がオフされているため、インスタントフィルム１１０が露光することはない。
【０１２９】
〈画像表示用ディスプレイ及び露光用ディスプレイの表示制御の変形例３〉
画像表示用ディスプレイ１６及び露光用ディスプレイ５６に同じ画像を表示させる場合、画像表示用ディスプレイ１６及び露光用ディスプレイ５６は、同じ画像出力インターフェイスに接続する構成としてもよい。
【０１３０】
図１７は、画像表示用ディスプレイ及び露光用ディスプレイを同じ画像出力インターフェイスに接続する場合の概念図である。
【０１３１】
同図に示すように、画像表示用ディスプレイ１６及び露光用ディスプレイ５６は、表示コントローラ９０に対して、同じ画像出力インターフェイス９０ａに接続される。より具体的には、画像表示用ディスプレイ１６の画像表示用液晶ディスプレイ６８と、露光用ディスプレイ５６の露光用液晶ディスプレイ５８が、表示コントローラ９０の同じ画像出力インターフェイス９０ａに接続される。これにより、表示コントローラ９０から画像表示用液晶ディスプレイ６８及び露光用液晶ディスプレイ５８に同じ表示データが加えられ、同じ画像が表示される。
【０１３２】
このように、表示制御のためのインターフェイスを画像表示用ディスプレイ１６及び露光用ディスプレイ５６で共用することにより、構成をより簡素化できる。
【０１３３】
〈画像表示用ディスプレイ及び露光用ディスプレイの表示制御の変形例４〉
スイッチにより点灯させるバックライトを切り替えて、画像表示用ディスプレイ１６及び露光用ディスプレイ５６の表示のオン及びオフを制御してもよい。
【０１３４】
図１８は、スイッチにより点灯させるバックライトを切り替えて、画像表示用ディスプレイ及び露光用ディスプレイの表示のオン及びオフを制御する場合の概念図である。
【０１３５】
同図に示すように、画像表示用バックライト７０及び露光用バックライト６０は、スイッチ９０ｂによって、択一的に点灯される。これにより、画像表示用ディスプレイ１６及び露光用ディスプレイ５６のいずれか一方だけを選択的に表示させることができる。
【０１３６】
〈画像表示用ディスプレイ及び露光用ディスプレイの表示制御の変形例４〉
上記のように、インスタントフィルム１１０を露光する場合、露光用ディスプレイ５６に画像を一定時間、一定の輝度で表示させる。したがって、露光用ディスプレイ５６の輝度は一定である。
【０１３７】
一方、画像表示用ディスプレイ１６については、その輝度をユーザが自由に調節できることが好ましい。すなわち、別途、輝度調節部を設けて、ユーザが任意に調整できるようにすることが好ましい。これにより、使用環境によらずに、常に良好な視認性を確保できる。
【０１３８】
輝度調節は、たとえば、輝度の調節画面を用意し、画面操作で行う。輝度の調節画面は、たとえば、メニュー画面から呼び出す構成とする。この他、カメラボディ１０に輝度調節ダイヤル等を設けて調節する構成とすることもできる。
【０１３９】
なお、露光用ディスプレイ５６については、一定の輝度とするが、ルーバープレート６２が備えられることから、その輝度は、画像表示用ディスプレイ１６の輝度よりも高く設定される。
【０１４０】
〈画像表示用ディスプレイ及び露光用ディスプレイの変形例〉
上記実施の形態では、画像表示用ディスプレイ１６及び露光用ディスプレイ５６を共に液晶ディスプレイで構成しているが、画像表示用ディスプレイ１６及び露光用ディスプレイ５６として使用する表示デバイスは、これに限定されるものではない。この他、たとえば、有機エレクトロルミネッセンスディスプレイ（Organic Electro-Luminescence Display；ＯＥＬＤ）、プラズマディスプレイ、電界放出ディスプレイ（Field Emission Display；ＦＥＤ)、電子ペーパ等のフラットパネルディスプレイを使用できる。また、画像表示用ディスプレイ１６及び露光用ディスプレイ５６は、必ずしも同じ表示デバイスである必要はなく、たとえば、一方を液晶ディスプレイで構成し、他方を有機ＥＬディスプレイで構成することもできる。また、画像表示用ディスプレイ１６及び露光用ディスプレイ５６は、異なる表示サイズのものを用いてもよい。
【０１４１】
画像表示用ディスプレイ１６及び露光用ディスプレイ５６を液晶ディスプレイで構成する場合、バックライトは、面で発光する構成のものを用いてもよい。
【０１４２】
なお、露光用ディスプレイ５６については、インスタントフィルムへの記録を考慮すると、画素ピッチ（隣接する画素間の距離）が２００μｍ以下であることが好ましい。なお、より良好な画像を得るには１５０μｍ以下、より好ましくは１２５μｍ以下、更に好ましく８５μｍ以下の画素ピッチであることが好ましい。
【０１４３】
また、一般に液晶ディスプレイ等のフラットパネルディスプレイには、その表示面に保護層としてのガラス板が備えられるが、露光用ディスプレイ５６に使用する表示デバイスは、各画素のからインスタントフィルムの露光面までの距離を短くするため、ガラス板等の保護層の厚みの薄いものを用いることが好ましい。
【０１４４】
〈画像表示用ディスプレイ及び露光用ディスプレイのレイアウトの変形例〉
上記実施の形態では、画像表示用ディスプレイ１６及び露光用ディスプレイ５６を背中合わせに重ねて配置する構成としているが、画像表示用ディスプレイ１６及び露光用ディスプレイ５６のレイアウトは、これに限定されるものではない。たとえば、フィルム装填室５０を挟んで配置する構成とすることもできる。この場合、フィルム装填室５０にインスタントフィルムパック１００を装填すると、インスタントフィルム１１０を挟んで画像表示用ディスプレイ１６及び露光用ディスプレイ５６が配置される。
【０１４５】
図１９は、インスタントフィルムパックを挟んで画像表示用ディスプレイ及び露光用ディスプレイを配置する場合のプリンタ付きデジタルカメラの概略構成を示す図である。
【０１４６】
同図は、フィルム蓋カバー１４に画像表示用ディスプレイ１６を配置する場合の例を示している。このように、フィルム蓋カバー１４に画像表示用ディスプレイ１６を配置することにより、インスタントフィルムパック１００を挟んで画像表示用ディスプレイ１６及び露光用ディスプレイ５６が配置される。
【０１４７】
インスタントフィルムパック１００を挟んで画像表示用ディスプレイ１６及び露光用ディスプレイ５６が配置されることにより、遮光壁を省略できる。
【０１４８】
〈撮像部の変形例〉
撮像部は、複数備えてもよい。たとえば、カメラボディ１０の正面及び背面にそれぞれ備えてもよい。また、撮像部をカメラボディに回転可能に保持し、撮像方向を任意に調整できるようにしてもよい。
【０１４９】
〈インスタントフィルムの変形例〉
使用するインスタントフィルムについては、モノシートタイプのもの限らず、ピールアパート方式のインスタントフィルム等を使用してもよい。
【０１５０】
〈ルーバープレートの変形例〉
上記実施の形態では、出光方向制限部材としてのルーバープレートを二層構造で構成しているが、出光方向制限部材としてのルーバープレートは、少なくとも出光方向制限層を備えていればよい。
【０１５１】
また、出光方向制限層において、透光部は、少なくとも光を通過させることができればよい。したがって、透光部を空洞で構成し、遮光部のみで出航方向制限層を構成することもできる。
【０１５２】
また、出光方向制限層において、遮光部は、光を吸収する素材で構成してもよいし、光を反射する素材で構成してもよい。遮光部は、着色された樹脂材料を用いることができ、たとえば、黒色シリコーンゴム等を用いることができる。また、光を吸収する材料として、ニュートラルデンシティーフィルタ（ＮＤ（Neutral Density）フィルタ）を用いることができる。ＮＤフィルタは、中立な光学濃度のフィルタを意味し、露光に用いられる波長域において、波長に影響を与えることなく、均等に光を吸収（吸収率で５０％以上９９．９９９％以下；光透過率で０．００１％以上、５０％以下）できるフィルタである。 
【０１５３】
また、上記実施の形態では、ルーバープレートの出光方向制限層を単層で構成しているが、出光方向制限層を複数の層で構成することもできる。
【０１５４】
図２０は、出光方向制限層を２層で構成したルーバープレートの一例を示す図である。
【０１５５】
同図に示すように、本例のルーバープレート６２は、出光方向制限層６４が二層構造を有する。より具体的には、第１出光方向制限層６４ｙ及び第２出光方向制限層６４ｘを有する。
【０１５６】
第１出光方向制限層６４ｙは、ｙ方向に沿って延びる遮光部６４ｙ１が、ｘ方向に沿って一定ピッチで配置された構造を有する。隣り合う遮光部６４ｙ１の間は透光部６４ｙ２で構成される。
【０１５７】
一方、第２出光方向制限層６４ｘは、ｘ方向に沿って延びる遮光部６４ｘ１が、ｙ方向に沿って一定ピッチで配置された構造を有する。隣り合う遮光部６４ｘ１の間は透光部６４ｘ２で構成される。
【０１５８】
この第１出光方向制限層６４ｙ及び第２出光方向制限層６４ｘが重ねて配置されることにより、全体として、格子状の遮光部が構成される。このようなルーバープレートは、第１出光方向制限層６４ｙを構成するルーバープレート（ルーバーフィルム）と、第２出光方向制限層６４ｘを構成するルーバープレート（ルーバーフィルム）とを重ね合わせることで構成できる。
【０１５９】
出光方向制限層における遮光部のピッチ（隣接する遮光部間の距離）は、８０μｍ以下、より好ましくは６５μｍ以下とすることが好ましい。この範囲で設定することにより、露光用ディスプレイの各画素からの斜め方向の光を適切に遮光でき、高品質な画像をインスタントフィルムに記録できる。
【０１６０】
また、出光方向制限層における遮光部の配列方向と、露光用ディスプレイの各画素の配列方向は、必ずしも一致させる必要はない。出光方向制限層における遮光部の配列方向と、露光用ディスプレイの各画素の配列方向との間に角度差を付けることもできる。角度差を付けることにより、モアレの発生を抑制できる。この角度差は、１度〜４５度が好ましく、５度〜４０度がより好ましく、１０度〜３５度がより好ましい。
【０１６１】
出光方向制限層の厚みは、１．５ｍｍ以上、４．０ｍｍ以下とすることが好ましい。より好ましくは、２．０ｍｍ以上、４．０ｍｍ以下であり、更に好ましくは、２．５ｍｍ以上、４．０ｍｍ以下である。出光方向制限層の厚みを厚くすることにより、より効果的に出光方向を制限できる。その一方で出光方向制限層の厚みが厚くなると、記録画像がぼけやすくなる。したがって、上記範囲の厚みで出光方向制限層を構成することが好ましい。なお、この厚みは、出光方向制限層が複数層で構成されている場合、複数層の合計の厚みである。
【０１６２】
保護層については、必ずしも必要ではないが、出光方向制限層を保護するために備えることが好ましい。保護層は、透明で光を通すことができれば、特に限定されない。保護層には、たとえば、アクリル樹脂、ポリカーボネート、塩化ビニル樹脂などで構成されるプラスチック板を用いることができる。
【０１６３】
保護層の厚みは、０．１μｍ以上、５００μｍ以下とすることが好ましい。保護層の厚みを０．１μｍ以上とすることで、出光方向制限層を保護する効果の他に、モアレを目立たなくする効果がある。また、出光方向制限層の欠陥又は構造に基づいて生じた画像の欠陥を目立たなくする効果もある。また、保護層の厚みを５００μｍ以下とすることで、記録画像のぼけを防止できる。
【０１６４】
〈プリント用画像処理の変形例〉
より高品質な画像をプリントするために、露光用の画像、すなわち、露光用ディスプレイに表示する画像に所定の画像処理を施してもよい。たとえば、記録画像の濃度差が、表示画像よりも減少してしまうことを考慮して、表示画像の高周波成分（エッジ部）を予め増加（強調）させる処理、いわゆるエッジ強調処理を行ってもよい。エッジ強調処理としては、たとえば、アンシャープマスク処理等の公知の手法を採用できる。
【符号の説明】
【０１６５】
１  プリンタ付きデジタルカメラ
１０  カメラボディ
１２  撮像レンズ
１４  フィルム蓋カバー
１４ａ  ヒンジ
１６  画像表示用ディスプレイ
１６ａ  画像表示用ディスプレイの表示面
１８  電源ボタン
２０  フィルム排出口
４２  イメージセンサ
５０  フィルム装填室
５２  フィルム送出機構
５２ａ  クロー
５４  フィルム搬送機構
５４Ａ  展開ローラ対
５６  露光用ディスプレイ
５６ａ  露光用ディスプレイの表示面
５８  露光用液晶ディスプレイ
６０  露光用バックライト
６０ａ  棒状ランプ
６０ｂ  導光板
６２  ルーバープレート
６２ａ  ルーバープレートの入射面
６２ｂ  ルーバープレートの出射面
６４  出光方向制限層
６４ａ  出光方向制限層の遮光部
６４ｂ  出光方向制限層の透光部
６４ｙ  第１出光方向制限層
６４ｙ１  第１出光方向制限層の遮光部
６４ｙ２  第１出光方向制限層の透光部
６４ｘ  第２出光方向制限層
６４ｘ１  第２出光方向制限層の遮光部
６４ｘ２  第２出光方向制限層の透光部
６６  保護層
６８  画像表示用液晶ディスプレイ
７０  画像表示用バックライト
７０ａ  棒状ランプ
７０ｂ  導光板
７２  タッチセンサ
７４  遮光壁
８０  マイコン
８０ａ  表示制御部
８２  アナログ信号処理部
８４  デジタル信号処理部
８６  プリント用画像処理部
８８  メモリ
８８ａ  メモリコントローラ
９０  表示コントローラ
９０ａ  画像出力インターフェイス
９０ｂ  スイッチ
９２  操作部
１００  インスタントフィルムパック
１１０  インスタントフィルム
１１０ａ  インスタントフィルムの露光面
１１０ｂ  インスタントフィルムの観察面
１１２  露光面に備えられる露光領域
１１４  ポッド部
１１４ａ  現像処理液ポッド
１１６  トラップ部
１１６ａ  吸収材
１１８  観察面に備えられる観察領域
１１８ａ  枠
１２０  インスタントフィルムパックのケース
１２０ａ  露光用開口
１２０ｂ  排出口
１２０ｃ  クロー開口部
ＣＢ  カメラボタン
Ｆ  インスタントフィルムの送り方向
ＬＩ  ライブビュー画像
ＭＢ  メニューボタン
Ｐ  画素
ＰＢ  再生ボタン
ＰＩ  再生画像
ＰｒＢ  プリントボタン
ＳＢ  シャッターボタン
【図１】
2020054749.tif 000003
【図２】
2020054749.tif 000004
【図３】
2020054749.tif 000005
【図４】
2020054749.tif 000006
【図５】
2020054749.tif 000007
【図６】
2020054749.tif 000008
【図７】
2020054749.tif 000009
【図８】
2020054749.tif 000010
【図９】
2020054749.tif 000011
【図１０】
2020054749.tif 000012
【図１１】
2020054749.tif 000013
【図１２】
2020054749.tif 000014
【図１３】
2020054749.tif 000015
【図１４】
2020054749.tif 000016
【図１５】
2020054749.tif 000017
【図１６】
2020054749.tif 000018
【図１７】
2020054749.tif 000019
【図１８】
2020054749.tif 000020
【図１９】
2020054749.tif 000021
【図２０】
2020054749.tif 000022
【国際調査報告】
2020054749.tif 000023
2020054749.tif 000024
2020054749.tif 000025
2020054749.tif 000026